(57)【要約】【課題】  ユーザーが、簡単な操作で、操作キーに割り当てられているそのユーザーに固有の機能を呼び出すことができるようにする。【解決手段】  携帯端末装置１において、キー検出部２１は、撮影装置１８により撮影された撮影画像を表示装置１２に表示し、撮影画像内で、操作キー３２ｃの操作キー画像を検出し、表示装置１２における操作キー画像の表示位置を特定し、キーコマンド送信部２２は、その操作キー画像の表示位置に対するユーザー操作を入力装置１３のタッチパネルで検出すると、その操作キーに対応して携帯端末装置１において設定されているプライベート機能のコマンドを画像形成装置２へ送信する。画像形成装置２では、キーコマンド処理部４２は、携帯端末装置１からそのコマンドを受信すると、そのコマンドにより指定されたプライベート機能を、コントローラー４１に実行させる。【選択図】  図２
2018158485.tif 000002
【特許請求の範囲】
【請求項１】
画像形成装置と、
前記画像形成装置と通信可能な携帯端末装置とを備え、
前記画像形成装置は、操作キーを有する操作パネルと、コントローラーと、キーコマンド処理部とを備え、
前記携帯端末装置は、撮影装置と、表示装置と、タッチパネルと、キー検出部と、キーコマンド送信部とを備え、
前記キー検出部は、前記撮影装置により撮影された撮影画像を前記表示装置に表示し、前記撮影画像内で、前記操作キーの操作キー画像を検出し、前記表示装置における前記操作キー画像の表示位置を特定し、
前記キーコマンド送信部は、前記操作キー画像の表示位置に対するユーザー操作を前記タッチパネルで検出すると、前記操作キーに対応して前記携帯端末装置において設定されているプライベート機能のコマンドを前記画像形成装置へ送信し、
前記キーコマンド処理部は、前記携帯端末装置から前記コマンドを受信すると、前記プライベート機能を、前記コントローラーに実行させること、
を特徴とする画像形成システム。
【請求項２】
携帯端末装置と通信可能な画像形成装置において、
操作キーを有する操作パネルと、
コントローラーと、
キーコマンド処理部とを備え、
前記キーコマンド処理部は、前記操作キーに対応して前記携帯端末装置において設定されているプライベート機能のコマンドを前記携帯端末装置から受信すると、前記プライベート機能を、前記コントローラーに実行させること、
を特徴とする画像形成装置。
【請求項３】
前記コントローラーは、前記操作パネルに対するユーザー操作を検出すると、前記画像形成装置に設定されているデフォルト機能を実行し、
前記プライベート機能は、前記デフォルト機能に所定機能を追加したものであること、
を特徴とする請求項２記載の画像形成装置。
【請求項４】
画像形成装置と通信可能であって撮影装置と表示装置とタッチパネルとを備える携帯端末装置内のコンピューターを、キー検出部、およびキーコマンド送信部として機能させ、
前記キー検出部は、前記撮影装置により撮影された撮影画像を前記表示装置に表示し、前記撮影画像内で、前記画像形成装置の操作パネル内の操作キーを撮影して得られる操作キー画像を検出し、前記表示装置における前記操作キー画像の表示位置を特定し、
前記キーコマンド送信部は、前記操作キー画像の表示位置に対するユーザー操作を前記タッチパネルで検出すると、前記操作キーに対応して前記携帯端末装置において設定されているプライベート機能のコマンドを前記画像形成装置へ送信し、前記画像形成装置に前記プライベート機能を実行させること、
を特徴とするキーオーバーライドプログラム。
【請求項５】
前記キーコマンド送信部は、前記操作キー画像の表示位置に対するユーザー操作を検出すると、前記ユーザー操作の押下圧を前記タッチパネルで特定し、前記操作キーに対応して前記携帯端末装置において設定されているプライベート機能の複数のオプション設定値から、前記押下圧に応じたオプション設定値を選択し、選択したオプション設定値を伴う前記プライベート機能のコマンドを前記画像形成装置へ送信し、前記画像形成装置に、前記オプション設定値により指定された設定で前記プライベート機能を実行させること、
を特徴とする請求項４記載のキーオーバーライドプログラム。
【請求項６】
前記キー検出部は、前記操作キー画像に関連付けて追加キー画像を前記表示装置に表示し、
前記キーコマンド送信部は、前記操作キー画像の表示位置に対するユーザー操作または前記追加キー画像の表示位置に対するユーザー操作を前記タッチパネルで検出すると、前記ユーザー操作の押下圧を前記タッチパネルで特定し、前記追加キー画像に対応して前記携帯端末装置において設定されているプライベート機能の複数のオプション設定値から、前記押下圧に応じたオプション設定値を選択し、選択したオプション設定値を伴う前記プライベート機能のコマンドを前記画像形成装置へ送信し、前記画像形成装置に、前記オプション設定値により指定された設定で前記プライベート機能を実行させること、
を特徴とする請求項４記載のキーオーバーライドプログラム。
【請求項７】
前記携帯端末装置は、前記携帯端末装置の向きを検出する方向検出装置をさらに備え、
前記キーコマンド送信部は、前記操作キー画像の表示位置に対するユーザー操作を検出すると、前記携帯端末装置の向きを特定し、前記操作キーに対応して前記携帯端末装置において設定されているプライベート機能の複数のオプション設定値から、前記向きに応じたオプション設定値を選択し、選択したオプション設定値を伴う前記プライベート機能のコマンドを前記画像形成装置へ送信し、前記画像形成装置に、前記オプション設定値により指定された設定で前記プライベート機能を実行させること、
を特徴とする請求項４から請求項６のうちのいずれか１項記載のキーオーバーライドプログラム。
【発明の詳細な説明】
【技術分野】
【０００１】
本発明は、画像形成システム、画像形成装置、およびキーオーバーライドプログラムに関するものである。
【背景技術】
【０００２】
あるシステムは、操作表示装置とヘッドマウントディスプレイ（ＨＭＤ）装置とを備える。このシステムでは、操作表示装置に表示されている操作画面に重なって見えるように、セキュリティが要求される設定入力のための仮想操作画面が、拡張現実的に、ＨＭＤ装置において表示される（例えば特許文献１参照）。
【先行技術文献】
【特許文献】
【０００３】
【特許文献１】特開２０１４−１５７４８２号公報
【発明の概要】
【発明が解決しようとする課題】
【０００４】
複数のユーザーが利用可能なプリンター、複合機などの画像形成装置における入力装置には、フレキシブルキーを有していることがある。フレキシブルキーは、ユーザーが機能（つまり、押下されたときの動作）を新規に割り当てたり、割り当てられている機能をユーザーが変更することが可能なキーである。
【０００５】
しかしながら、ユーザーは、フレキシブルキーを使用したい場合、（ａ）画像形成装置にログインし、そのログインしたユーザーにフレキシブルキーに割り当てられている機能が特定された後か、（ｂ）そのフレキシブルキーを押下してから画像形成装置にログインを行った後でないと、そのフレキシブルキーをその機能のために使用することができない。つまり、ユーザーは、フレキシブルキーを有効に使用する場合、画像形成装置にログインする必要があり、ユーザーに、複雑な操作が要求される。
【０００６】
本発明は、上記問題に鑑みてなされたものであり、ユーザーが、簡単な操作で、操作キーに割り当てられているそのユーザーに固有の機能を呼び出すことができる画像形成システム、並びにその画像形成システムに使用可能な画像形成装置およびキーオーバーライドプログラムを得ることを目的とする。
【課題を解決するための手段】
【０００７】
本発明に係る画像形成システムは、画像形成装置と、前記画像形成装置と通信可能な携帯端末装置とを備える。前記画像形成装置は、操作キーを有する操作パネルと、コントローラーと、キーコマンド処理部とを備える。前記携帯端末装置は、撮影装置と、表示装置と、タッチパネルと、キー検出部と、キーコマンド送信部とを備える。前記キー検出部は、前記撮影装置により撮影された撮影画像を前記表示装置に表示し、前記撮影画像内で、前記操作キーの操作キー画像を検出し、前記表示装置における前記操作キー画像の表示位置を特定し、前記キーコマンド送信部は、前記操作キー画像の表示位置に対するユーザー操作を前記タッチパネルで検出すると、前記操作キーに対応して前記携帯端末装置において設定されているプライベート機能のコマンドを前記画像形成装置へ送信する。前記キーコマンド処理部は、前記携帯端末装置から前記コマンドを受信すると、前記プライベート機能を、前記コントローラーに実行させる。
【０００８】
本発明に係る画像形成装置は、操作キーを有する操作パネルと、コントローラーと、キーコマンド処理部とを備える。前記キーコマンド処理部は、前記操作キーに対応して前記携帯端末装置において設定されているプライベート機能のコマンドを前記携帯端末装置から受信すると、前記プライベート機能を、前記コントローラーに実行させる。
【０００９】
本発明に係るキーオーバーライドプログラムは、画像形成装置と通信可能であって撮影装置と表示装置とタッチパネルとを備える携帯端末装置内のコンピューターを、キー検出部、およびキーコマンド送信部として機能させる。前記キー検出部は、前記撮影装置により撮影された撮影画像を前記表示装置に表示し、前記撮影画像内で、前記画像形成装置の操作パネル内の操作キーを撮影して得られる操作キー画像を検出し、前記表示装置における前記操作キー画像の表示位置を特定し、前記キーコマンド送信部は、前記操作キー画像の表示位置に対するユーザー操作を前記タッチパネルで検出すると、前記操作キーに対応して前記携帯端末装置において設定されているプライベート機能のコマンドを前記画像形成装置へ送信し、前記画像形成装置に前記プライベート機能を実行させる。
【発明の効果】
【００１０】
本発明によれば、ユーザーが、簡単な操作で、画像形成装置の操作キーに割り当てられているそのユーザーに固有の機能を呼び出すことができる。
【００１１】
本発明の上記又は他の目的、特徴および優位性は、添付の図面とともに以下の詳細な説明から更に明らかになる。
【図面の簡単な説明】
【００１２】
【図１】図１は、本発明の実施の形態に係る画像形成システムの構成を示す図である。
【図２】図２は、図１における携帯端末装置１の構成を示すブロック図である。
【図３】図３は、図１における画像形成装置２の構成を示すブロック図である。
【図４】図４は、図１および図３における画像形成装置２の操作パネル３２の一例を示す図である。
【図５】図５は、図４に示す操作パネル３２の撮影画像を表示している携帯端末装置１の一例を示す図である。
【図６】図６は、実施の形態２において、図４に示す操作パネル３２の撮影画像を表示している携帯端末装置１の一例を示す図である。
【発明を実施するための形態】
【００１３】
以下、図に基づいて本発明の実施の形態を説明する。
【００１４】
実施の形態１．
【００１５】
図１は、本発明の実施の形態に係る画像形成システムの構成を示す図である。図１に示すシステムでは、スマートフォン、タブレットＰＣなどの携帯端末装置１が、画像形成装置２を使用するユーザーにより携帯されている。携帯端末装置１と画像形成装置２とは、無線通信などで互いに通信可能となっている。なお、このシステムでは、複数のユーザーが複数の携帯端末装置１をそれぞれ有し、携帯端末装置１を使用して画像形成装置２を使用可能となっている。
【００１６】
図２は、図１における携帯端末装置１の構成を示すブロック図である。
【００１７】
携帯端末装置１は、無線通信装置１１、表示装置１２、入力装置１３、ＧＰＳ装置１４、方向検出装置１５、記憶装置１６、演算処理装置１７、および撮影装置１８を備える。
【００１８】
無線通信装置１１は、所定の無線通信規格の通信回路である。無線通信装置１１は、無線ＬＡＮインターフェイス、および／または携帯電話網のインターフェイス（ＲＦインターフェイス、ベースバンド部など）である。
【００１９】
表示装置１２は、携帯端末装置１の筐体に配置されている液晶ディスプレイなどの装置であって、各種画面をユーザーに対して表示する。
【００２０】
入力装置１３は、ユーザー操作を検出する装置であって、表示装置１２上に配置されたタッチパネル、ハードキーなどを備える。
【００２１】
ＧＰＳ装置１４は、ＧＰＳ（Global Positioning System）で、当該ＧＰＳ装置１４、つまり携帯端末装置１の絶対位置（緯度、経度、および高度）を特定する装置である。
【００２２】
方向検出装置１５は、ジャイロセンサー、電子コンパスなどを有し、携帯端末装置１の姿勢（向き）を検出する装置である。
【００２３】
記憶装置１６は、フラッシュメモリーなどの不揮発性の記憶装置であり、プログラムおよびデータを記憶している。記憶装置１６は、アプリケーションプログラムとしてのキーオーバーライドプログラム１６ａおよびキー設定データ１６ｂを記憶している。
【００２４】
演算処理装置１７は、ＣＰＵ（Central Processing Unit）、ＲＯＭ（Read Only Memory）、ＲＡＭ（Random Access Memory）などを有するコンピューターであって、記憶装置１６やＲＯＭからＲＡＭにプログラムをロードして実行して、各種処理部として動作する。
【００２５】
この実施の形態では、演算処理装置１７は、キーオーバーライドプログラム１６ａが実行されることにより、キー検出部２１、キーコマンド送信部２２、およびキーオーバーライド表示制御部２３として動作する。
【００２６】
キー検出部２１は、撮影装置１８により撮影された撮影画像を表示装置１２に表示し、その撮影画像内で、画像形成装置２の特定の操作キーの操作キー画像を検出し、表示装置１２における操作キー画像の表示位置を特定する。なお、画像形成装置２における、この操作キーは、ハードキーでもソフトキーでもよい。また、この操作キーは、フレキシブルキーでもよいし、固定機能の操作キーでもよい。
【００２７】
例えば、画像形成装置２の操作パネルにおける操作キーを含むその操作キー周辺の画像の画像データがキー設定データ１６ｂ内に予め登録されており、キー検出部２１は、その画像データにより示される操作キーおよびその操作キー周辺の特徴量（エッジ形状など）に基づいて、撮影画像内で同様の特徴量を検索して、操作キー画像を検出する。その際、例えば、撮影画像内の操作パネルの形状データを予め記憶装置１６に記憶しておき、その形状データに基づいて、撮影画像内の操作パネルの傾き角度を特定して撮影画像内の操作パネルの画像を正立状態かつ基準サイズへ座標変換し、その後、同様の特徴量を有する部分を撮影画像内で検索するようにしてもよい。
【００２８】
キーコマンド送信部２２は、検出された操作キー画像の表示位置に対するユーザー操作を入力装置１３のタッチパネルで検出すると、その操作キーに対応して携帯端末装置２において設定されているプライベート機能のコマンドを、無線通信装置１１で画像形成装置２へ送信する。
【００２９】
なお、キーコマンド送信部２２は、操作キー画像の表示位置に対するユーザー操作を検出すると、ユーザー操作の押下圧を入力装置１３のタッチパネルで特定し、操作キーに対応して携帯端末装置１において設定されているプライベート機能の複数のオプション設定値から、特定された押下圧に応じたオプション設定値を選択し、選択したオプション設定値を伴うプライベート機能のコマンドを画像形成装置２へ送信し、画像形成装置２に、そのオプション設定値により指定された設定でそのプライベート機能を実行させるようにしてもよい。
【００３０】
例えば、コピー機能の操作キー画像に対するユーザー操作が検出されると、入力装置１３のタッチパネルでそのユーザー操作の押下圧がリアルタイムで特定され、特定された押下圧が大きくなるにつれて、「２ｉｎ１の集約印刷」、「４ｉｎ１の集約印刷」、「４ｉｎ１の集約印刷かつ両面印刷」、および「４ｉｎ１の集約印刷かつ両面印刷かつエコ印刷」の順でオプション設定値が指定されるようになっており、現時点で指定されているオプション設定値が、例えばポップアップ表示などで表示され、ユーザー操作終了時直前の押下圧に対応するオプション設定値が最終的に選択される。つまり、強く押下するほど、トナーおよび印刷用紙といった消耗品の消費を多く抑えられるようになっている。そして、選択されたオプション設定値を伴うコマンド（ここでは、ログイン機能付きのコピー機能のコマンド）が画像形成装置２へ送信され、そのオプション設定値により指定された設定でコピー機能が実行される。
【００３１】
また、例えば、センド機能の操作キー画像に対するユーザー操作が検出されると、入力装置１３のタッチパネルでそのユーザー操作の押下圧がリアルタイムで特定され、特定された押下圧が大きくなるにつれて、Scan To Emailでの自己の電子メールアドレス、Scan To SMBでの自己の端末装置のフォルダー、Scan To FTPでの自己の端末装置、Scan To Emailでの宛先グループの順でオプション設定値が指定されるようになっており、現時点で指定されているオプション設定値が例えばポップアップ表示などで表示され、ユーザー操作終了時直前の押下圧に対応するオプション設定値が最終的に選択される。そして、選択されたオプション設定値を伴うコマンド（ここでは、ログイン機能付きのセンド機能のコマンド）が画像形成装置２へ送信され、そのオプション設定値により指定された設定でセンド機能が実行される。
【００３２】
キー設定データ１６ｂには、当該携帯端末装置１のユーザーにより指定されたプライベート機能が記述されており、キーコマンド送信部２２は、キー設定データ１６ｂを読み出してプライベート機能を特定し、そのコマンドを送信する。
【００３３】
なお、その操作キーがソフトキーである場合には、次のようにしてもよい。画像形成装置２の操作画面の画面ＩＤごとに、その操作画面内のソフトキーのＩＤおよび位置を示す操作画面データが記憶装置１６に予め格納されており、キー検出部２１は、画像形成装置２のコントローラー４１から現在表示中の操作画面の画面ＩＤを取得し、操作画面データに基づいて、取得した画面ＩＤの操作画面のソフトキーの位置を特定する。そして、キーコマンド送信部２２は、特定された操作キー画像（つまり、そのソフトキー）の表示位置に対するユーザー操作を入力装置１３で検出すると、そのソフトキーのＩＤに対応して携帯端末装置２において設定されているプライベート機能のコマンドを、無線通信装置１１で画像形成装置２へ送信する。
【００３４】
キーオーバーライド表示制御部２３は、キー検出部２１により特定された操作キー画像の表示位置に基づいて、その操作キー画像上にまたはその周囲に隣接して、上述のプライベート機能を示すタイトルを表示装置１２に表示する。
【００３５】
図３は、図１における画像形成装置２の構成を示すブロック図である。
【００３６】
図１に示す画像形成装置２は、記憶装置３１、操作パネル３２、演算処理装置３３、印刷装置３４、画像読取装置３５、ファクシミリ装置３６、通信装置３７などを備える。
【００３７】
記憶装置３１は、フラッシュメモリーなどの不揮発性の書換可能な記憶装置である。
【００３８】
操作パネル３２は、筐体の上面前側に配置され、液晶ディスプレイなどの表示装置３２ａ、およびハードキー、タッチパネルなどの入力装置３２ｂを備える。表示装置３２ａは、ユーザーに対して各種画面を表示する。表示装置３２ａに表示されるキー画像およびタッチパネルによりソフトキーが実現される。入力装置３２ｂは、ユーザーにより入力される、ハードキーまたはソフトキーに対するユーザー操作を受け付ける。
【００３９】
演算処理装置３３は、ＣＰＵ、ＲＯＭ、およびＲＡＭを有するコンピューターであって、ＲＯＭや図示せぬ記憶装置に記憶されているプログラムをＲＡＭにロードしてＣＰＵで実行することにより、各種処理部として動作する。演算処理装置３３は、コントローラー４１およびキーコマンド処理部４２として動作する。
【００４０】
印刷装置３４は、画像データに基づき原稿画像などを印刷用紙に印刷する。具体的には、印刷装置３４は、ユーザーの印刷要求により指定された原稿画像を印刷して得られる印刷物を出力する。また、画像読取装置３５は、原稿から原稿画像を光学的に読み取り、その原稿画像の画像データを生成する。ファクシミリ装置３６は、画像データに基づき原稿画像などのファクシミリ信号を生成し送信するとともに、外部からファクシミリ信号を受信しそのファクシミリ信号から画像データを生成する。通信装置３７は、無線または有線のネットワークインターフェイスなどであって、外部の装置（携帯端末装置１、パーソナルコンピューターなどの他のホスト装置など）との間でデータ通信を行う。
【００４１】
コントローラー４１は、印刷装置３４、画像読取装置３５、ファクシミリ装置３６、通信装置３７などの内部装置を制御して各種処理を実行する。例えば、コントローラー４１は、印刷要求を受信すると、その印刷要求により指定された原稿画像を印刷装置３４に印刷させる。
【００４２】
キーコマンド処理部４２は、通信装置３７を使用して、携帯端末装置１から上述のコマンドを受信すると、そのコマンドにより指定されたプライベート機能を、コントローラー４１に実行させる。
【００４３】
なお、コントローラー４１は、操作パネル３２の入力装置３２ｂに対するユーザー操作を検出すると、画像形成装置２に設定されているデフォルト機能を実行する。上述のプライベート機能は、このデフォルト機能に所定機能を追加したものである。
【００４４】
次に、上記画像形成システムの動作について説明する。
【００４５】
携帯端末装置１において、キーオーバーライドプログラム１６ａが実行されると、キー検出部２１が、撮影装置１８の撮影画像を表示装置１２に表示し、撮影画像内で、キー設定データ１６ｂに登録されている操作キーの操作キー画像を探索する。この状態で、撮影装置１８の視野内にその操作キーが入ると、キー検出部２１が、撮影画像内でその操作キー画像を検出する。
【００４６】
図４は、図１および図３における画像形成装置２の操作パネル３２の一例を示す図である。図５は、図４に示す操作パネル３２の撮影画像を表示している携帯端末装置１の一例を示す図である。
【００４７】
例えば図４に示す操作パネル３２において、３つの操作キー３２ｃがキー設定データ１６ｂに登録されており、３つの操作キー３２ｃのデフォルト機能が、コピー機能（具体的にはコピー機能の操作画面の表示）、センド機能（センド機能の操作画面の表示）、およびファックス機能（ファックス機能の操作画面の表示）であり、プライベート機能が、それぞれ、そのデフォルト機能にログイン機能が追加されたものである場合、キー検出部２１は、これらの操作キー３２ｃについての、撮影画像内での操作キー画像の表示位置を特定し、例えば図５に示すように、キーオーバーライド表示制御部２３が、各操作キー画像に隣接して上述のプライベート機能を示すタイトルを表示装置１２に表示する。
【００４８】
そして、キーコマンド送信部２２は、検出された操作キー画像の表示位置に対するユーザー操作を入力装置１３で検出すると、その操作キーに対応して携帯端末装置２において設定されているプライベート機能をキー設定データ１６ｂに基づいて特定し、そのプライベート機能のコマンドを無線通信装置１１で画像形成装置２へ送信する。
【００４９】
画像形成装置２では、キーコマンド処理部４２が、そのコマンドを受信すると、そのコマンドにより指定されたプライベート機能をコントローラー４１に実行させる。
【００５０】
例えば図５に示す例の場合、コマンドとともに、携帯端末装置１のユーザーのユーザー認証情報（例えばユーザーＩＤ、またはユーザーＩＤとパスワードとの対）が画像形成装置２に送信され、プライベート機能として、ログイン機能（つまり、そのユーザー認証情報に基づく自動ログイン）が実行された後に、コピー機能、センド機能、またはファックス機能が実行される。
【００５１】
以上のように、上記実施の形態１によれば、携帯端末装置１において、キー検出部２１は、撮影装置１８により撮影された撮影画像を表示装置１２に表示し、撮影画像内で、操作キー３２ｃの操作キー画像を検出し、表示装置１２における操作キー画像の表示位置を特定し、キーコマンド送信部２２は、その操作キー画像の表示位置に対するユーザー操作を入力装置１３で検出すると、その操作キーに対応して携帯端末装置１において設定されているプライベート機能のコマンドを画像形成装置２へ送信する。画像形成装置２では、キーコマンド処理部４２は、携帯端末装置１からそのコマンドを受信すると、そのコマンドにより指定されたプライベート機能を、コントローラー４１に実行させる。
【００５２】
これにより、携帯端末装置１を使用することで、ユーザーは、簡単な操作で、画像形成装置２の操作キー３２ｃに割り当てられているそのユーザーに固有の機能を呼び出すことができる。
【００５３】
実施の形態２．
【００５４】
図６は、実施の形態２において、図４に示す操作パネル３２の撮影画像を表示している携帯端末装置１の一例を示す図である。
【００５５】
実施の形態２では、例えば図６に示すように、携帯端末装置１のキー検出部２１は、上述の操作キー画像に関連付けて追加キー画像５１を表示装置１２に表示する。なお、追加キー画像５１に対応するキーは、画像形成装置２の操作パネル３２には存在しない仮想的なキー（つまり、携帯端末装置１のソフトキー）である。
【００５６】
キーコマンド送信部２２は、操作キー３２ｃの操作キー画像の表示位置に対するユーザー操作または追加キー画像５１の表示位置に対するユーザー操作を入力装置１３のタッチパネルで検出すると、そのユーザー操作の押下圧を特定し、追加キー画像５１に対応して携帯端末装置１において設定されているプライベート機能の複数のオプション設定値から、その押下圧に応じたオプション設定値を選択し、選択したオプション設定値を伴うプライベート機能のコマンドを画像形成装置２へ送信し、画像形成装置２に、そのオプション設定値により指定された設定でプライベート機能を実行させる。
【００５７】
例えば、図６に示す例では、コピー機能の操作キー３２ｃに対する追加キー画像５１に表示され、追加キー画像５１内には、コピー機能のオプション設定値のリスト（「２ｉｎ１の集約印刷」、「４ｉｎ１の集約印刷」、「４ｉｎ１の集約印刷かつ両面印刷」、および「４ｉｎ１の集約印刷かつ両面印刷かつエコ印刷」）が含まれている。そして、コピー機能の操作キー画像または追加キー画像５１に対するユーザー操作が検出されると、入力装置１３のタッチパネルでそのユーザー操作の押下圧がリアルタイムで特定され、特定された押下圧が大きくなるにつれて、「２ｉｎ１の集約印刷」、「４ｉｎ１の集約印刷」、「４ｉｎ１の集約印刷かつ両面印刷」、および「４ｉｎ１の集約印刷かつ両面印刷かつエコ印刷」の順でオプション設定値が指定されるようになっており、現時点で指定されているオプション設定値が強調表示され（例えば表示色の変更、反転表示など）、ユーザー操作終了時直前の押下圧に対応するオプション設定値が最終的に選択される。つまり、強く押下するほど、トナーおよび印刷用紙といった消耗品の消費を多く抑えられるようになっている。そして、選択されたオプション設定値を伴うコマンド（ここでは、ログイン機能付きのコピー機能のコマンド）が画像形成装置２へ送信され、そのオプション設定値により指定された設定でコピー機能が実行される。
【００５８】
また、例えば、センド機能の操作キー３２ｃに対する追加キー画像が表示されるようにしてもよい。その場合、その追加キー画像５１内には、例えば、センド機能のプロトコルおよび宛先のオプション設定値のリスト（Scan To Emailでの自己の電子メールアドレス、Scan To SMBでの自己の端末装置のフォルダー、Scan To FTPでの自己の端末装置、およびScan To Emailでの宛先グループ）が含まれる。そして、センド機能の操作キー画像または追加キー画像に対するユーザー操作が検出されると、入力装置１３のタッチパネルでそのユーザー操作の押下圧がリアルタイムで特定され、特定された押下圧が大きくなるにつれて、Scan To Emailでの自己の電子メールアドレス、Scan To SMBでの自己の端末装置のフォルダー、Scan To FTPでの自己の端末装置、Scan To Emailでの宛先グループの順でオプション設定値が指定されるようになっており、現時点で指定されているオプション設定値が強調表示され、ユーザー操作終了時直前の押下圧に対応するオプション設定値が最終的に選択される。そして、選択されたオプション設定値を伴うコマンド（ここでは、ログイン機能付きのセンド機能のコマンド）が画像形成装置２へ送信され、そのオプション設定値により指定された設定（プロトコルおよび宛先）でセンド機能が実行される。
【００５９】
なお、実施の形態２に係る画像形成システムのその他の構成および動作については実施の形態１と同様であるので、その説明を省略する。
【００６０】
以上のように、上記実施の形態２によれば、追加キー画像５１が表示されるため、追加的な詳細な設定も併せて簡単に行うことができる。
【００６１】
実施の形態３．
【００６２】
実施の形態３では、携帯端末装置１のキーコマンド送信部２２は、操作キー画像の表示位置に対するユーザー操作を入力装置１３で検出すると、方向検出装置１５で携帯端末装置１の向きを特定し、操作キー３２ｃに対応して携帯端末装置１において設定されているプライベート機能の複数のオプション設定値から、特定した向きに応じたオプション設定値を選択し、選択したオプション設定値を伴うプライベート機能のコマンドを画像形成装置２へ送信し、画像形成装置２に、そのオプション設定値により指定された設定でそのプライベート機能を実行させる。
【００６３】
例えば、コピー機能の操作キー画像に対するユーザー操作が検出されると、そのときの携帯端末装置１の向きが特定され、向き（つまり、正立状態からの傾き角）が左９０度である場合、オプション設定値が「なし」され、向きが左４５度である場合、オプション設定値が「２ｉｎ１の集約印刷」とされ、向きが正立（傾き角０度）である場合、オプション設定値が「４ｉｎ１の集約印刷」とされ、向きが右４５度である場合、オプション設定値が「４ｉｎ１の集約印刷かつ両面印刷」とされ、向きが右９０度である場合、オプション設定値が「４ｉｎ１の集約印刷かつ両面印刷かつエコ印刷」とされる。なお、現時点の傾きで指定されるオプション設定値を、例えばポップアップ表示などで表示するようにしてもよい。
【００６４】
なお、実施の形態３に係る画像形成システムのその他の構成および動作については実施の形態１または実施の形態２と同様であるので、その説明を省略する。
【００６５】
また、携帯端末装置１の向き、並びに実施の形態１または実施の形態２のように押下圧の両方に基づいて、オプション設定値を選択するようにしてもよい。
【００６６】
例えば、（ａ）センド機能の操作キー画像に対するユーザー操作が検出されたときに、向きが左９０度であり、かつ、押下圧が５段階のレベルのうちの第２レベルである場合、２ｉｎ１の集約印刷がセンド機能のオプション設定値として選択され、（ｂ）ファックス機能の操作キー画像に対するユーザー操作が検出されたときに、向きが正立であり、かつ、押下圧が５段階のレベルのうちの第３レベルである場合、４ｉｎ１の集約印刷がファックス機能のオプション設定値として選択され、（ｃ）コピー機能の操作キー画像に対するユーザー操作が検出されたときに、向きが右９０度であり、かつ、押下圧が５段階のレベルのうちの第５レベルである場合、４ｉｎ１の集約印刷および両面印刷がファックス機能のオプション設定値として選択される。
【００６７】
以上のように、上記実施の形態３によれば、携帯端末装置１の向きを調整することで、追加的な詳細な設定も併せて簡単に行うことができる。
【００６８】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００６９】
例えば、上記実施の形態において、キーオーバーライドプログラム１６ａは、コンピューター読取可能な記録媒体に格納されていてもよい。その場合、その記録媒体から記憶装置１６へキーオーバーライドプログラム１６ａがインストールされる。
【００７０】
また、上記実施の形態において、携帯端末装置１において、プライベート機能およびオプション機能を説明するヘルプまたはガイダンスを、上述の操作キー画像または追加キー画像に関連付けて表示するようにしてもよい。
【００７１】
また、上記実施の形態において、画像形成装置２は、一定時間間隔でビーコン電波を発信し、ユーザーが携帯端末装置１を携帯してそのビーコン電波の受信可能エリアに入り（つまり、画像形成装置２に近づき）、携帯端末装置１が、そのビーコン電波を受信すると、自動的に、上述のキーオーバーライドプログラム１６ａを起動するようにしてもよい。これにより、ユーザーが手動でキーオーバーライドプログラム１６ａを起動させる操作を行わずに済む。
【産業上の利用可能性】
【００７２】
本発明は、例えば、画像形成装置に適用可能である。
【符号の説明】
【００７３】
１  携帯端末装置
２  画像形成装置
１２  表示装置
１３  入力装置（タッチパネルの一例）
１５  方向検出装置
１６ａ  キーオーバーライドプログラム
１７  演算処理装置（コンピューターの一例）
１８  撮影装置
２１  キー検出部
２２  キーコマンド送信部
３２  操作パネル
３２ｃ  操作キー
４１  コントローラー
４２  キーコマンド処理部
５１  追加キー画像
【図１】
2018158485.tif 000003
【図２】
2018158485.tif 000004
【図３】
2018158485.tif 000005
【図４】
2018158485.tif 000006
【図５】
2018158485.tif 000007
【図６】
2018158485.tif 000008